(57)【特許請求の範囲】
【請求項１】
チップ、ショルダー及び連結部が連なって形成された合成樹脂製の第一棒状部と、前記連結部を介して前記第一棒状部に結合されると共にグリップを有する第二棒状部と、を備え、
前記第一棒状部の内部には、軸方向に沿って且つ前記第一棒状部の全長にわたって延在する空洞が設けられ、
前記空洞の一端は前記チップの先端に設けられた開口部で外部に開放される一方、他端は前記連結部の嵌合穴に差し込まれた前記第二棒状部で閉塞されていることを特徴とする演奏用のドラムスティック。
【請求項２】
前記第一棒状部に設けられた空洞は前記開口部から前記嵌合穴にかけて均一な内径で設けられていることを特徴とする請求項１記載の演奏用ドラムスティック。
【請求項３】
前記第一棒状部に設けられた前記空洞は、前記開口部から前記ショルダーまで延在する入口空洞部と、前記入口空洞部と連通していると共に、前記入口空洞部よりも内径が大きい共鳴空洞部と、を備え、
前記入口空洞部は前記開口部に向けて内径が徐々に広がるテーパ状に形成される一方、前記共鳴空洞部は前記嵌合穴に向けて内径が徐々に広がるテーパ状に形成されていることを特徴とすることを特徴とする請求項１記載の演奏用ドラムスティック。
【請求項４】
前記第一棒状部の後端側には、前記第一棒状部の軸方向に沿った補強溝が形成されていることを特徴とする請求項１記載の演奏用ドラムスティック。
【請求項５】
前記第二棒状部は、合成樹脂製のグリップと、前記グリップと前記第一棒状部を結合する木製の中間棒状部と、を備えていることを特徴とする請求項１記載の演奏用ドラムスティック。
【請求項６】
前記チップの外周面には、複数のディンプルが設けられていることを特徴とする請求項１記載の演奏用ドラムスティック。
【発明の詳細な説明】
【技術分野】
【０００１】
本発明は、ドラムやシンバルを叩いて演奏するドラムスティックに関する。
【背景技術】
【０００２】
従来のドラムスティックは、ヒッコリー、メープル、オーク等の木製が主流であった。しかし、木製のドラムスティックは、経時的な使用に伴ってささくれが発生してしまうという問題から、木くずが飛び散ってしまい、ステージの床に落ちた木くずの掃除が煩雑であった。また、木は自然物であり、繊維の方向や密度が一定ではないことから、突然に割れが生じ、ドラムスティックが折れてしまうという問題があった。そのため、ドラム演奏者は、あらかじめドラムスティックが折れてしまうことを想定し、予備のドラムスティックを複数本持っているのが一般的である。また、木製のドラムスティックは、湿度によって曲がってしまうという問題もあった。さらに、木製のドラムスティックでは、ドラムスティック自体の長さ、太さ等によって重心が決まってしまうため、同じ長さ、太さのドラムスティックで重心をコントロールすることができなかった。
【０００３】
そこで、近年では、合成樹脂製のドラムスティックが提案されている（例えば、特許文献１）。合成樹脂製のドラムスティックは、経時的な使用に伴ったささくれが発生することがない。また、木製のドラムスティックに比べて大きく耐久性が向上すると共に、湿度によって曲がってしまうこともない。更に、木材を消費することがないため、環境破壊を防止することもできる。
【０００４】
一方で、ドラム演奏者は、楽曲の演奏時において、他の楽器の音や観客の歓声によって、自身が演奏している楽器の音がほとんど聞こえていない場合がある。そのため、ドラム演奏者のなかには、ヘッドフォン等によってメトロノームの発するクリック音を聞きながら演奏する者が数多く存在する。これによって、ドラム演奏者は、他の楽器や観客の歓声があったとしても、適切なリズム感でドラムの演奏を行うことができ、演奏時のリズムを安定させることができる。
【０００５】
また、自身が演奏している楽器の音がほとんど聞こえない状況下において、ドラム演奏者は、クリック音に加えて、ドラムを叩打した際の手に伝わる振動を頼りに自身が演奏している楽器の音を把握し、コントロールしている。すなわち、自己のパフォーマンスを最大限に発揮するためには、ドラムスティックを叩打した際の手に伝わる振動が重要である。そのため、音色や音の表現の幅を広げるには、ドラムスティックを叩打した際の手に伝わる振動とドラムから発せられる音とが安定して一致している必要があると共に、振動の伝達が優れているドラムスティックが好ましいといえる。
【０００６】
しかし、近年普及している合成樹脂製のドラムスティックは、合成樹脂であるため硬度が高く、ドラムの叩き方によっては、ドラム演奏者の意図しない鋭い音が発生してしまう場合があった。合成樹脂製のドラムスティックは耐久性や湿度による状態変化の面で優れているため、一定のニーズは存在するものの、その扱いの困難さから、ドラム演奏者が奏でる音の質を求めるためには、より繊細に振動が感じられる必要があった。また、従来のドラムスティックでは振動の伝達が正確ではなく、センシティブな演奏を行うことができないことから、ドラム演奏者は大きさの異なるタムや太さ等が異なるドラムスティックを準備する必要があり、演奏する楽曲に応じてそれらを使い分けていた。
【先行技術文献】
【特許文献】
【０００７】
【特許文献１】特開平０９−１１４４５２
【発明の概要】
【発明が解決しようとする課題】
【０００８】
本発明は、このような課題に鑑みてなされたものであり、その目的は、ドラム演奏者がドラムスティックに伝達される振動を通じてよりセンシティブな演奏を行うことが可能であると共に、耐久性に優れ、さらに、複数のタムやドラムスティックを準備することなく様々な音色を表現することができるドラムスティックを提供することにある。
【課題を解決するための手段】
【０００９】
すなわち本発明は、チップ及びショルダーを含む合成樹脂製の第一棒状部と、前記第一棒状部に結合されると共にグリップを有する第二棒状部と、を有する演奏用のドラムスティックであって、前記第一棒状部の内部には、軸方向に沿っていると共に、前記第一棒状部の全長にわたって延在する空洞が設けられており、前記空洞は、前記チップ先端の開口部で外部に開放されている。
【発明の効果】
【００１０】
本発明のドラムスティックによれば、第一棒状部に設けられた空洞の形状・大きさを適宜変更することによりドラムスティックを叩打した際の共振周波数をコントロールすることができるため、ドラムスティックを通じて手に伝わる振動とドラムから発せられる音とを一致させることができる。従って、自身の楽器の音が聞こえない状況下でドラムの演奏をする場合であっても、よりセンシティブな演奏をすることが可能となる。
【００１１】
また、センシティブな演奏が可能になるがゆえに、ドラム演奏者自身がタムやシンバルを叩く際の強弱をつけることが容易となり、大きさの異なるタムや太さ等の異なるドラムスティックを準備することなく音色の幅、及びダイナミックレンジを広げることが可能となる。
【００１２】
さらに、第一棒状部に設けられた空洞の形状、大きさを変更することによって、ドラムスティック自体の重心をコントロールすることができる。これにより、ドラム演奏者は自身の好みに合わせたドラムスティックを選択することができ、よりセンシティブな演奏を行うことが可能となる。
【図面の簡単な説明】
【００１３】
【図１】本発明を適用したドラムスティックの第一実施形態の全体を示す図である。
【図２】第一実施形態の変形例を示す全体図である。
【図３】本発明を適用したドラムスティックの第二実施形態の第一棒状部を示す断面図である。
【図４】図３に示した第一棒状部の斜視図である。
【図５】第二実施形態の第一棒状部の変形例を示す斜視図である。
【００１４】
以下、添付図面を用いて本発明のドラムスティックを詳細に説明する。
【００１５】
図1は、本発明を適用したドラムスティックの第一実施形態の全体を示す図である。前記ドラムスティック１は、ドラムやシンバルを叩く際に使用されるものである。前記ドラムスティック１は、第一棒状部２と、前記第一棒状部２と結合された第二棒状部３と、から構成されている。図１では、前記第一棒状部２が断面図で示されている。本実施形態において、前記第一棒状部２と前記第二棒状部３は接着剤により結合されているが、ピンで結合する等、前記第一棒状部２と前記第二棒状部３とが強固に結合されれば適宜設計変更可能である。
【００１６】
前記第一棒状部２は、合成樹脂材料から形成されている。そのため、木製のドラムスティック１に比べて耐久性が高く折れにくい。本実施形態の前記第一棒状部２は、金型による射出成型により製造している。
【００１７】
前記第一棒状部２は、チップ４と、ショルダー５と、連結部２４が連なって形成されている。前記ショルダー５は、前記第一棒状部２の後端側に向けて広がる円錐状を成している。前記ショルダー５の先端部には、開口部４１を有するチップ４が設けられている。すなわち、前記チップ４は、第一棒状部２の最先端に設けられている。前記チップ４は、略球体を成しており、ドラム演奏時の叩打部分として使用される。そのため、前記チップ４でドラムの膜部分を叩くことにより、ドラムの音を奏でることができる。尚、チップ４の形状は、丸形、角型、涙型、三角型、チップレス等、適宜設計変更が可能である。
【００１８】
また、前記第一棒状部２の後端側には、前記ショルダー５と後端側に連続する結合部２４が設けられている。前記結合部２４には、第二棒状部３を結合するための嵌合穴２３が設けられている。
【００１９】
前記第一棒状部２の内部には、空洞２５が設けられている。前記空洞２５は、前記第一棒状部２の軸方向に沿って均一な内径で設けられている。前記空洞２５は、前記チップ４の先端に設けられた前記開口部４１で外部に開放されている。他方、前記空洞２５の後端部は、第一棒状部２と第二棒状部３を結合するための前記嵌合穴２３と連通している。前記空洞２５があることによって、ドラムを叩いた際に前記空洞２５内の空気がバネとして、空気振動が誘発される。そのため、当該空気振動は、前記空洞２５の長さ、断面積、体積、内径を適宜調節することによって気柱の共振をコントロールし、所定の周波数で共振させることができる。前記空洞２５は、射出成型時において金型内のスライドピンで成型される。尚、前記空洞２５は、前記チップ４に設けられた開口部４１と連通していれば、内径が徐々に拡大するテーパ状等、特に形状の限定はない。
【００２０】
前記第二棒状部３は、前記第一棒状部２に対し結合部２４で結合されている。前記第二棒状部３は、ヒッコリー、メープル、オーク等の木で構成されている。前記第二棒状部３は、グリップを含むため、前記ドラムスティック１の持ち手となる。前記第二棒状部３の最後端には、グリップエンドキャップ３２が設けられている。前記第二棒状部３の先端には円形突起３１が設けられており、前記円形突起３１は、前記第一棒状部２の前記嵌合穴２３に挿入される。尚、本実施形態において前記第二棒状部３は木製から成るが、合成樹脂製であっても良い。
【００２１】
また、図２に示すように、前記第二棒状部３は、中間棒状部６と、グリップ７と、から構成されるものであっても良い。前記中間棒状部６は、ヒッコリー、メープル、オーク等の木で構成されている。前記中間棒状部６は、前記第二棒状部３の先端側に設けられている。前記中間棒状部６の先端には、円形突起３１が設けられており、図１の例と同様に、第一棒状部２の嵌合穴２３に挿入される。前記中間棒状部６と前記第一棒状部２は、接着剤等により結合されている。前記中間棒状部６は、リムショットの際に使用することで木製ドラムスティックと同様に柔らかい音を出すことが可能である。
【００２２】
前記グリップ７は、合成樹脂で構成されている。前記グリップ７は、前記第二棒状部３の後端に設けられている。前記グリップ７の最後端には、グリップエンドキャップ３２が設けられている。前記グリップ７と前記中間棒状部６は、接着剤等により結合されている。当該ドラムスティック１は、第一棒状部２及びグリップ７が合成樹脂、前記中間棒状部６が木製で成形されることから、前記ドラムスティック１の構成全体の合成樹脂部分の占める割合が多い。そのため、前記第二棒状部３を中間棒状部６、及びグリップ７から構成した場合は、ドラムスティックを成型する際の木材の消費を最小限に抑えることができる。
【００２３】
次に、第一実施形態のドラムスティック１の使用方法について説明する。
【００２４】
前記ドラムスティック１を用いてドラムセットの演奏をする際には、前記第二棒状部３を手で握り、ドラムの打面を前記ドラムスティック１のチップ４で叩打することで行う。
【００２５】
ドラムスティック１を叩打すると、叩打したチップ４から振動が生ずる。前記ドラムスティック１は、前記第一棒状部２の内部に空洞２５を有するため、前記ドラムスティック１に振動が発生すると前記空洞２５内の気柱共鳴が生じる。当該気柱共鳴が生じると、前記空洞２５内で起きる共鳴現象により振動が増幅し、ドラムスティック１全体が振動する。すなわち、前記ドラムスティック１は、楽曲の演奏中におけるドラムを叩く力の強弱に応じて、気柱共鳴により増幅した空気振動が前記第二棒状部３を通じて手に伝わる。
【００２６】
気柱の共鳴は、前記空洞２５の長さ、断面積、体積、内径を適宜調節することによってコントロールできる。そのため、ドラム演奏者の好み、楽曲、ドラム打面の張り強度等に合わせて、空気振動の共振周波数を調節することができる。これにより、ドラム演奏者は、自身の好みや楽曲に合わせた共振周波数の振動が手で感じ取れるドラムスティックを使用することによって、より繊細に振動を感じ取ることができる。そのため、ドラム演奏者は、共振周波数が調節された複数のドラムスティックの中から、楽器から出る音とドラムスティックを叩打した際の手に伝わる振動とが一致したドラムスティックを選択することができる。
【００２７】
以上説明してきたように、本発明を適用した第一実施形態のドラムスティック１によれば、ドラム演奏者は、自身が演奏している楽器の音が聞こえない状況下であっても、楽器から出る音とドラムスティックを叩打した際の手に伝わる振動とが一致していることによって、自身が演奏している楽器から奏でられる音を、叩打した際の手に伝わる振動を通じて正確に把握することができ、安定して演奏を行うことができると共に、よりセンシティブな演奏が可能となる。
【００２８】
また、本実施形態のドラムスティック１によれば、通常のドラムスティックに比べてセンシティブな演奏を行うことができる。そのため、ドラム演奏者がタムやシンバルを叩く際の強弱をつけることが容易となるため、一つのドラムスティックで様々な音色を表現することができ、かつ、ダイナミックレンジを広げることができる。従って、ドラム演奏者は、大きさの異なるタムや太さ等が異なるドラムスティックの種類を増やすことなく様々な音色を表現することができる。
【００２９】
さらに、ドラムスティック１内部の空洞２５の形状を適宜調節することによって、木製のドラムスティックでは困難であったドラムスティック全体の重心のコントロールができる。これにより、ドラム演奏者は、自身の好みに適した重心のドラムスティックを選択することができ、さらにセンシティブな演奏を行うことができる。
【００３０】
次に、本発明を適用した第二実施形態のドラムスティックについて説明する。
【００３１】
図３及び図４は、ドラムスティック１の第一棒状部２Ａの第二実施形態を示す図であり、図３は断面図、図４は斜視図である。この第一棒状部２Ａは、第一実施形態のドラムスティック１と同じように、第二棒状部３の先端に結合して使用される。
【００３２】
前記第一棒状部２Ａは、チップ４と、ショルダー５と、連結部２４と、が連なって形成されている。基本的な構成は第一実施形態と同一であるため、図中に同一の符号を付して、ここでは相違部分について言及する。
【００３３】
前記ショルダー５の先端付近には、ショルダー溝５１が設けられている。前記ショルダー溝５１は、前記第一棒状部２Ａの周方向に沿って環状に形成されている。この実施形態において、前記ショルダー溝５１は前記第一棒状部２Ａの軸方向に沿って３本が間隔を置いて配列されている。これにより、前記ドラムスティック１を叩打した際に、当該ショルダー溝５１で撓みを促すことができ、振動が発生しやすくなる。
【００３４】
前記ショルダー５の後端側には、前記第一棒状部２Ａの軸方向に沿った直線の補強溝２７が複数設けられている。前記補強溝２７は、前記第一棒状部２Ａの周方向に沿って等間隔で設けられている。前記補強溝２７は、連結部２４からショルダー５にかけて形成されている。これにより、前記ショルダー５の撓みに対する強度を上げることができ、前記ドラムスティック１を叩打した際に生じる振動の伝達を促すことができる。
【００３５】
前記第一棒状部２Ａの内部には、空洞２５が設けられている。前記空洞２５は、先端側に設けられた入口空洞部２２と、後端側に設けられた共鳴空洞部２１と、から構成されている。前記入口空洞部２２は、前記第一棒状部２Ａの先端側に設けられている。前記入口空洞部２２は、前記チップ４の先端に設けられた開口部４１で外部に開放されている。前記入口空洞部２２は、前記共鳴空洞部２１よりも全長が短く、かつ、小さい空洞になっている。前記入口空洞部２２は、テーパ状に形成されている。つまり、前記入口空洞部２２の内部空間は、前記第一棒状部２の先端側に向かって徐々に広がっている。前記入口空洞部２１をテーパ状に形成することで、前記ショルダー５の周壁２６の厚みを均一にすることができる。これにより、ドラムスティックの強度を保つことができる。
【００３６】
前記共鳴空洞部２１は、前記第一棒状部２Ａの後端側に設けられている。前記共鳴空洞部２１は、前記入口空洞部２１よりも大きい内径となっている。前記共鳴空洞部２１は、テーパ状に形成されている。つまり、前記共鳴空洞部２１の内部空間は、前記第一棒状部２Ａの後端側に向かって徐々に広がっている。また、この共鳴空洞部２１は、第一棒状部２Ａの嵌合穴２３に挿入された第二棒状部３の円形突起３１によって閉塞される。前記共鳴空洞部２１についてもテーパ状に形成することで、前記ショルダー５の周壁２６の厚みを均一にすることができる。第二実施形態においても、前記空洞２５があることによって、ドラムを叩いた際に前記空洞２５内の空気がバネとして空気振動が誘発される。
【００３７】
前記第二棒状部３の構成は、第一実施形態と同一であるため、図中に同一の符号を付して、ここではその詳細な説明を省略する。
【００３８】
次に、第二実施形態のドラムスティック１の使用方法について説明する。
【００３９】
前記ドラムスティック１を用いてドラムの演奏を行う場合には、第一実施形態のドラムスティック１と同じように、第二棒状部３を手で握り、チップ４でドラム打面を叩打する。
【００４０】
第一実施形態のドラムスティックと同じように、前記ドラムスティック１を叩打すると、前記空洞２５内の空気が振動し共鳴する。前記ドラムスティック１は、共鳴空洞部２１の内部空間が、入口空洞部２２の内部空間よりも大きく構成されているため、前記空洞２５内の空気振動が大きくなる。すなわち、前記ドラムスティック１は、前記空洞２５の気柱共鳴を誘発させたときに、ヘルムホルツ共鳴を生じさせる。これにより、前記空洞２５をストレートな空洞にしたときよりも、前記空洞２５内の空気振動の増幅量が大きくなる。
【００４１】
第二実施形態においても、前記入口空洞部２２、及び共鳴空洞部２１の長さ、断面積、体積、内径を適宜調節することによって、共振周波数をコントロールすることができる。そのため、ドラム演奏者は、共振周波数が調節された複数のドラムスティックの中から、楽器から出る音とドラムスティックを叩打した際の手に伝わる振動とが一致したドラムスティックを選択し、これを用いて演奏することができる。
【００４２】
また、前記ショルダー５の先端側には、振動の発生を促すためのショルダー溝５１が設けられており、かつ、前記ショルダー５の後端側には、振動の伝達を促す補強溝２７が設けられている。これによれば、前記チップ４を叩打した際に、前記ショルダー溝５１によってドラムスティックの先端部分が振動しやすくなる。また、当該振動が伝達されたショルダー５の後端側は、補強溝２７が設けられていることによって撓みに対する耐性が強いため、振動を維持し、これをさらに第二棒状部３に伝達する。そのため、ショルダー溝５１及び補強溝２７があることによって、ドラムスティック１を叩打した際の振動を感じやすくなる。
【００４３】
以上説明してきたように、本発明を適用した第二実施形態のドラムスティック１によれば、ヘルムホルツ共鳴を生じさせることにより空気振動を増幅し、かつ、ショルダー溝５１及び補強溝２７によって振動の伝達を促すことができることから、ドラムスティックを叩打した際の手に伝わる振動を感じやすく、よりセンシティブな演奏を行うことができる。
【００４４】
また、本実施形態のドラムスティック１によれば、通常のドラムスティックに比べてセンシティブな演奏を可能とするため、一つのドラムスティックで様々な音色を表現することができ、かつ、ダイナミックレンジを広げることができる。そのため、ドラム演奏者は、大きさの異なるタムや太さ等が異なるドラムスティックを準備することなく、様々な音色を表現することができる。
【００４５】
さらに、図５に示すように、前記チップ４の外周面には、ディンプルが設けられているものであっても良い。これにより、チップ４が合成樹脂で成形されているドラムスティックであっても、木製のドラムスティックのように柔らかい音を出すことができる。
【符号の説明】
【００４６】
１…ドラムスティック、２…第一棒状部、３…第二棒状部、５…ショルダー、２３…嵌合孔、２５…空洞、４１…開口部
【要約】
【課題】
ドラム演奏者がドラムスティックに伝達される振動を通じてよりセンシティブな演奏を行うことが可能であると共に、耐久性に優れ、さらに、複数のタムやドラムスティックを準備することなく様々な音色を表現することができるドラムスティックを提供する。
【解決手段】
チップ及びショルダーを含む合成樹脂製の第一棒状部と、前記第一棒状部に結合されると共にグリップを有する第二棒状部と、を有する演奏用のドラムスティックであって、前記第一棒状部の内部には、軸方向に沿っていると共に、前記第一棒状部の全長にわたって延在する空洞が設けられており、前記空洞は、前記チップ先端の開口部で外部に開放されている。
【選択図】図１【図１】
0006985655.tif 000002
【図２】
0006985655.tif 000003
【図３】
0006985655.tif 000004
【図４】
0006985655.tif 000005
【図５】
0006985655.tif 000006